(57)【要約】【課題】扉を閉じた位置に固定することができる保持金具であって、キャビネット内に突出する部分が極めて小さく、扉の保持および開閉を容易に行なうことができる保持金具を提供することを目的とする。【解決手段】本考案の保持金具は、底板面に固定された台座と、前記台座に上下に揺動自在に取り付けられた磁性体からなるプレートと、扉の下部に固定された磁石と、前記プレートが磁石に吸着されたときに当該プレートを引き抜き可能な係止力で磁石に係止する保持機構とを具備してなることを特徴とする。また、前記保持機構が、上向きに突出するフックと、該フックを上方へ付勢する弾性手段とからなり、前記プレートには、前記保持機構のフックに係合するための下向きに突出する突起が設けられてなるのが好ましい。さらに、前記磁石およびフックが、扉内に埋め込まれる構造であることが好ましい。【選択図】図１
0003108006.tif 000002
【実用新案登録請求の範囲】
【請求項１】
（ａ）底板面に固定された台座と、
（ｂ）磁性体からなり、前記台座に上下に揺動自在に取り付けられたプレートと、
（ｃ）扉の下部に固定された磁石と、
（ｄ）前記プレートが前記磁石に吸着されたときに、当該プレートを引き抜き可能な係止力で前記磁石に係止する保持機構と
を具備してなる保持金具。
【請求項２】
前記保持機構が、上向きに突出するフックと、該フックを上方へ付勢する弾性手段とからなり、
前記プレートには、前記保持機構のフックに係合するための下向きに突出する突起が設けられてなる請求項１記載の保持金具。
【請求項３】
前記磁石と上向きに突出するフックとが、前記扉の面材に埋め込まれる構造である請求項１または２記載の保持金具。
【請求項４】
前記プレートの先端部表面が、合成樹脂で形成されてなる請求項１、２または３記載の保持金具。
【考案の詳細な説明】
【技術分野】
【０００１】
本考案は扉用保持金具に関する。さらに詳しくは、キャビネットの扉の磁石によって、底板に揺動自在に設置された磁性体からなるプレートを吸着させることにより、扉を閉じた位置に保持することができる保持金具であって、扉の保持および開閉を容易に行なうことができるとともに、キャビネット内の空間を有効に利用することが可能な保持金具に関する。
【背景技術】
【０００２】
従来、キャビネットの扉を閉じた位置に保持するために、マグネットキャッチやローラキャッチが使われている（たとえば、特許文献１または特許文献２）。
【０００３】
また、扉が側板の端面を覆うようにして、マグネットキャッチやローラキャッチを側板などに埋め込む方法がある（たとえば、特許文献３）。
【０００４】
【特許文献１】特開平８−３５３６５号公報
【特許文献２】特開平９−２５０２６７号公報
【特許文献３】特開２００３−１３６５４号公報
【考案の開示】
【考案が解決しようとする課題】
【０００５】
しかしながら、従来のマグネットキャッチやローラキャッチなどの保持金具では、常時底板または側板に立設されているため、前記扉が保持金具に固定されていない場合、キャビネット内の物品を出し入れするときに保持金具に当って、不便である。誤って物が保持金具に衝突すると、物に傷をつけたり、保持金具が変形する惧れがある。また、キャビネット内の清掃をする際に邪魔になっていた。
【０００６】
さらに、従来の保持金具は、常時底板に立設されているため、底板の上に異物が突出しているように見え、美観上好ましくない。
【０００７】
一方、底板または側板に保持金具を埋め込む方法は、底板または側板にある程度の厚みが必要である。保持金具を取り付ける底板または側板の厚みが小さい場合は埋め込むことができず、キャビネット内に保持金具が突出する。また、扉がキャビネットの開口内側に収まる構造のキャビネットでは、保持金具を埋め込むことができない。
【０００８】
一方、一般的に扉を保持する機構として、床から出没自在の戸当りも種々検討されており、従来より知られている出没自在の保持金具として、磁石を用いた保持金具などがある。特許第２９９０６０１号公報および特開平１０−１１５１３９号公報に記載された磁石を用いた保持金具は、たとえば、床面に揺動自在に設置された磁性体プレートを、扉側の磁石に吸着させることにより扉を全開位置に固定している。
【０００９】
しかし、これらの保持金具は、磁石の吸着力のみで扉の固定を行なっているため、一時的に扉を全開状態に保持したり、または再び保持を解除しようとしても、吸着力が弱すぎて扉の保持が不充分であるなどの問題がある。
【００１０】
本考案はかかる問題を解消するためになされたものであり、扉を閉じた位置に固定することができる保持金具であって、キャビネット内に突出する部分が極めて小さく、扉の保持および開閉を容易に行なうことができる保持金具を提供することを目的とする。
【課題を解決するための手段】
【００１１】
本考案の保持金具は、（ａ）底板面に固定された台座と、
（ｂ）磁性体からなり、前記台座に上下に揺動自在に取り付けられたプレートと、
（ｃ）扉の下部に固定された磁石と、
（ｄ）前記プレートが磁石に吸着されたときに当該プレートを引き抜き可能な係止力で磁石に係止する保持機構とを具備してなることを特徴とする。
【００１２】
また、前記保持機構が、上向きに突出するフックと、該フックを上方へ付勢する弾性手段とからなり、前記プレートには、前記保持機構のフックに係合するための下向きに突出する突起が設けられてなるのが好ましい。
【００１３】
さらに、前記磁石およびフックが、扉内に埋め込まれる構造であることが好ましい。
【考案の効果】
【００１４】
本考案によれば、扉側の磁石によって、底板面に揺動自在に設置された磁性体からなるプレートを吸着させることにより、扉を閉じた位置に保持することおよび扉の開閉を容易に行なうことができる。
【００１５】
また、扉を開けたときには、本体部分のプレートが底板面とほぼ面一になるため、キャビネット内のものの出し入れや、キャビネット内の清掃を支障なく安全に行なうことができる。しかも、扉を開けたときには、プレートが底板面とほぼ面一になるため、扉周辺の底板面は平坦であり、美観を向上することができる。
【００１６】
さらに、扉側の突出部をなくすことができるので、突出部にキャビネットの収容物や衣服を引っ掛けたり、人体を傷つけるたりすることがない。
【考案を実施するための最良の形態】
【００１７】
つぎに図面を参照しながら本考案の保持金具を詳細に説明する。
【００１８】
実施の形態１
図１は本考案の実施の形態１にかかわる保持金具を示す斜視説明図、図２は図１の磁石の側面図、図３は図１の磁石の正面図、図４は図１の磁石の断面説明図、図５は図１の本体部分の平面説明図であって、（ａ）は台座を上から見た図、（ｂ）はプレートを上から見た図ならびに（ｃ）は軸押さえ板を上から見た図、図６は図１のプレートが磁石に保持前の状態を示す断面説明図、図７は図１のプレートが磁石に保持された状態を示す断面説明図である。
【００１９】
図１に示される保持金具は、大きく分けて底板面に設置された本体部分１と、扉Ｄに固着される磁石２とから構成されている。
【００２０】
本体部分１は、図１および図５に示されるように、底板面にネジなどで固定されたナイロン、ポリアセタールなどのエンジニアリング樹脂や亜鉛合金などからなる台座３に、鉄などの磁性体からなるプレート４が揺動自在に取り付けられている。本体部分１の設置方法については、本考案ではとくに限定するものではなく、図１のように底板面に設置してもよいし、または底板に形成される埋設穴に埋設してもよい。
【００２１】
本体部分１は、図５（ａ）〜（ｃ）に示されるように、台座３と、プレート４と、軸押さえ板５とから構成されている。
【００２２】
プレート４には、後述する磁石２下側に設けられた保持機構６のフック１５（図４参照）に係合し得る、下方突起７（図６および図７参照）がプレート４の先端部を下方に突出させることにより形成されている。なお、下方突起７は、プレート４の先端を下面側に折り返すことによって形成してもよい。
【００２３】
プレート４は、鉄やスチールなどの磁性体材料により作製され、たとえば図５（ｂ）、図６および７に示されるように、１枚の薄い鉄板をプレス加工したり、または２枚以上の金属板を積層してもよい。プレート４の下方突起７の形状は、本考案においてとくに限定されるものではなく、前記フック１５の形状に対応するように選定すればよく、たとえば矩形形状の凹部や孔を採用することができる。
【００２４】
台座３には、プレート４を収容する矩形の開口部３ａが形成されている。プレート４は、台座３の開口部３ａに下方から挿入され、プレート４の後端両側に突設された軸部１０は、下方に開いた一対の軸受凹部３ｂに回転自在に挿入されている。
【００２５】
図５（ａ）に示されるように、一対の軸受凹部３ｂは、台座３の下面にかしめまたは接着などにより固着された軸押さえ板５によって閉塞されているので、軸部１０が台座３の軸受凹部３ｂから脱落する心配がない。また、図５（ｃ）に示されるように、軸押さえ板５の中央部には、突片５ａが前方に突設されている。突片５ａは、プレート４の下方への落込みを防止している。
【００２６】
また、図５（ａ）、図６および７に示されるように、台座３の下面には、プレート４が磁石２に衝突するときにプレート４の後端に当接し得る当接部３ｃが設けられ、さらに当接部３ｃの後方側に近接してネジ孔３ｄにはネジ（図示せず）が挿入されている。そのため、磁石２に衝突したときにプレート４が受ける衝撃を当接部３ｃおよびネジ孔３ｄに挿入されたねじで受けることができ、プレート４の軸部１０（図５（ｂ）参照）などの破損を防止することができる。
【００２７】
しかも、プレート４の軸部１０には、プレート４の揺動角度を規制するための傾斜部１０ａが、プレート４の後方（図５（ｂ）では右方向）へ向かうにつれて上昇する方向に形成されている。そのため、プレート４が所定の揺動角度（たとえば３０度程度）まで上方へ揺動すれば、傾斜部１０ａが台座３の下面に面接触することによって、プレート４の揺動角度を正確に規制することができる。
【００２８】
磁石２は、図１および図４に示されるように、扉Ｄの下面に形成された凹部にネジなどによって固着されたケース１１と、当該ケース１１の下面１１ａ近接して収容された磁石本体１２と、前記プレート４を保持するための保持機構６と、ケース１１の背面を覆うキャップ１３とから構成されている。本実施の形態では磁石２は扉Ｄの下面の凹部に埋め込まれており、取り付け部分の厚みのみが扉Ｄから出ている。
【００２９】
ケース１１の下面１１ａは、後方に向かうにつれて上昇するように傾斜させてもよく、その場合は上方に揺動したプレート４と磁石本体１２とがぴったりと面接触できるようになる。
【００３０】
保持機構６は、図４に示されるように、磁石２の下面に吸着されたプレート４を保持するために、プレート４の下方突起７（図７参照）に係合する上向きに突出するフック１５と、フック１５を上方へ付勢するための圧縮コイルバネ１６とからなる。保持機構６がプレート４を保持することにより、磁石２の吸着力の強弱にかかわらず容易かつ確実に扉Ｄの保持が可能になる。この保持機構６により、プレート４が磁石２に吸着されたときにプレート４を引き抜き可能な程度の係止力で磁石に係止することができる。
【００３１】
フック１５の縦方向に延びる背骨部１５ａは、前記ケース１１の背板部１１ｄおよびキャップ１３によって垂直方向に摺動自在に案内されている。圧縮コイルバネ１６は、ケース１１内部の固定板１１ｂと背骨部１５ａ上端に形成されたバネ押え１５ｂとのあいだに圧縮状態で挟まれている。それにより、フック１５は、圧縮コイルバネ１６の付勢力により常時上方に付勢されている。本実施の形態では、フック１５を上方に付勢するために圧縮コイルバネ１６を用いたが、本考案は付勢手段として圧縮コイルバネに限られるものではなく、板バネや引っ張りコイルバネなどを用いることもできる。
【００３２】
また、本実施の形態では、フック１５の背骨部１５ａに対して、磁石本体１２に吸着されたプレート４の先端が衝突するため、背骨部１５ａは、プレート４との衝突の際の衝撃を吸収できるように、合成樹脂で作製したり、表面にゴムなどを貼着するのが好ましい。同様に、ケース１１の扉Ｄに沿って下方に延びる部分もプレート４との衝突の際の衝撃を吸収できるように、合成樹脂で作製したり、表面にゴムなどを貼着すればよい。なお、プレート４の先端部分を合成樹脂で形成したり、先端部分を合成樹脂で覆ってもよい。
【００３３】
つぎに、図６および８を参照しながら本実施の形態の保持金具の使用方法の一例を説明する。まず扉Ｄを開いたときには、図６に示されるように、プレート４は重力によって底板に伏せた状態にある。扉Ｄをキャビネットの開口部に閉じると（図８参照）、図７に示されるように、底板に伏せてあったプレート４が磁石２の吸引力によて立ち上がり、磁石２の下面に吸着する。それとともに、プレート４の先端に設けられた下方突起７が保持機構６のフック１５に係合することにより、容易かつ確実に扉Ｄの保持を行なうことができる。なお、扉Ｄの保持を解除するときは、扉Ｄを引いて開けるだけで、プレート４が磁石２の下面から容易に抜け出して扉Ｄの保持は解除される。
【００３４】
図８は本実施の形態の保持金具をキャビネットに取り付けた状態を示す図である。本実施の形態では、磁石２は扉Ｄの下面に埋め込まれているので、扉Ｄを開けたときに扉Ｄから突き出る部分がなく、物や衣服を引っ掛けたり、人体を傷つけることがない。保持金具の本体部分１はごく薄く、また扉を開けたときには、プレート４が底板面に伏せた状態になるので、キャビネット内に突き出る部分が薄く、物を出し入れしたり、キャビネット内を清掃するときに邪魔にならない。なお、本体部分１を底板に形成される埋設穴に埋設して、本体部分１の上面が底板と面一になるようにすれば、まったく突き出ることがなく、美観の点からも好ましい。
【００３５】
また、扉Ｄを閉じたときにも、図７からわかるように、キャビネット内に出る部分が極めて小さく、収納物に当たることがなくキャビネット内の空間を有効に利用することができる。
【００３６】
実施の形態２
つぎに、本考案の別の実施の形態について説明する。実施の形態１では、磁石２を扉Ｄの下面に形成された凹部に埋め込んであったが、本実施の形態２では、磁石２を扉Ｄの下面に埋め込まない場合である。たとえば、扉Ｄの厚さが薄くて磁石２を埋め込む凹部を形成できない場合や、扉Ｄがキャビネットの開口部に収まらず底板の端部を覆う場合には、磁石２を扉Ｄの下面に埋め込むことができない。このような場合に本考案の保持金具を使用する場合が本実施の形態２に該当する。
【００３７】
図９は実施の形態２の保持金具を示す斜視説明図である。図１０は図９の磁石の側面図、図１１は図９の磁石の正面図、図１２は図９のプレートが磁石に保持された状態を示す断面説明図である。
【００３８】
実施の形態２では、磁石２が扉Ｄの下面に埋め込まれず、扉Ｄのキャビネット内側に取り付けられる（図１２および１３参照）。磁石２が扉Ｄの下面に埋め込まれず、扉Ｄから突出して固定されること以外は、実施の形態１と同様である。本体部分１は実施の形態１のものと同じである。扉Ｄを開閉するときの、プレート４の動きは実施の形態１と同じなので、説明を省略する。
【００３９】
実施の形態２では、磁石２のケース１１は丸みをつけて形成されており、収納物や衣服などが引っかかりにくくなっている。
【００４０】
図１３に、本実施の形態２の保持金具がキャビネットに取り付けられた状態を示す。実施の形態２においても、扉Ｄを開けたときには、キャビネット内に出る部分が薄いので、物を出し入れしたり、キャビネット内を清掃するときに邪魔にならない。
【００４１】
なお、前記実施の形態では、本考案の保持金具をキャビネットの扉を閉じた位置に保持する目的で使用する場合について説明したが、本考案の保持金具はキャビネットの扉を保持する場合に限られず、たとえば、ドアを開いた位置に保持する戸当りとして使用することができる。特に屋内のドアのように強い風が吹かない場所では、ドアを開いた位置に強固にロックする必要がないので、本考案の保持金具を使用することができる。実施の形態１の保持金具のように、磁石２をドアの下面に埋め込むと、保持金具が目立たず美観上も好ましい。
【図面の簡単な説明】
【００４２】
【図１】本考案の保持金具の一実施の形態を示す斜視説明図である。
【図２】図１の磁石の側面図である。
【図３】図１の磁石の正面図である。
【図４】図１の磁石の断面説明図である。
【図５】図１の本体部分の平面説明図であって、（ａ）は台座を上から見た図、（ｂ）はプレートを上から見た図ならびに（ｃ）は軸押さえ板を上から見た図である。
【図６】図１のプレートが磁石に保持前の状態を示す断面説明図である。
【図７】図１のプレートが磁石に保持された状態を示す断面説明図である。
【図８】図１のプレートおよび磁石がキャビネットに取り付けられた状態を示す図である。
【図９】本考案の保持金具の別の実施の形態を示す斜視説明図である。
【図１０】図９の磁石の側面図である。
【図１１】図９の磁石の正面図である。
【図１２】図９のプレートが磁石に保持された状態を示す断面説明図である。
【図１３】図９のプレートおよび磁石がキャビネットに取り付けられた状態を示す図である。
【符号の説明】
【００４３】
１  本体部分
２  磁石
３  台座
４  プレート
【図１】
0003108006.tif 000003
【図２】
0003108006.tif 000004
【図３】
0003108006.tif 000005
【図４】
0003108006.tif 000006
【図５】
0003108006.tif 000007
【図６】
0003108006.tif 000008
【図７】
0003108006.tif 000009
【図８】
0003108006.tif 000010
【図９】
0003108006.tif 000011
【図１０】
0003108006.tif 000012
【図１１】
0003108006.tif 000013
【図１２】
0003108006.tif 000014
【図１３】
0003108006.tif 000015